(57)【特許請求の範囲】
【請求項１】
屋根に有する突条部を左右一対の挟持部で挟持して屋根上に取り付けられ、上に取り付け物を支持する屋根上取り付け金具であって、
前記突条部を左右に跨ぐ形状であり前記突条部の一方側に当たる一方の挟持部を下端に有した支持体と、該支持体の他方側に添えられ前記突条部の他方側に当たる他方の挟持部を下端に有した締め付け体を備え、
前記支持体が、前記突条部の上方に位置する上面部と、該上面部の他方側の端から下がる垂下片を有し、
前記上面部には、前記取り付け物固定のために先端を上に向ける固定ボルトが固定され、
前記垂下片には、先端を左右方向の他方側に向ける締め付けボルトが固定され、
前記締め付け体が、前記上面部の上に重なる重合片と、該重合片の他方側の端から下がる受圧片を有し、
前記重合片には、前記固定ボルトの直径よりも幅広の切り欠きが一方側の端から形成され、
前記受圧片には、前記締め付けボルトを挿通する貫通穴が形成され、
前記締め付けボルトには、前記受圧片を前記垂下片側に移動させるナットが備えられる
屋根上取り付け金具。
【請求項２】
前記上面部に、他方側を一方側よりも低くする段差部と、該段差部で高さが低くなり前記固定ボルトが固定される下位面が形成され、
前記段差部には、左右方向に貫通する挿通部が形成され、
前記重合片に、前記挿通部に差し込まれる差し込み部が形成された
請求項１に記載の屋根上取り付け金具。
【請求項３】
前記差し込み部が、前記重合片の幅方向の両側に一対形成された
請求項２に記載の屋根上取り付け金具。
【請求項４】
前記差し込み部が、前記締め付け体の挟持部の先を前記支持体の垂下片の内側に近接させたときに、先端を前記挿通部に近接させる長さである
請求項２または請求項３に記載の屋根上取り付け金具。
【請求項５】
前記重合片の前記切り欠きの周囲に、前記固定ボルトに螺合するナットで締め付けられる被締め付け部が形成された
請求項１から請求項４のうちいずれか一項に記載の屋根上取り付け金具。
【請求項６】
前記固定ボルトに、屋根板を固定する吊子が固定される
請求項１から請求項５のうちのいずれか一項に記載の屋根上取り付け金具。
【請求項７】
請求項１から請求項６のうちのいずれか一項に記載の屋根上取り付け金具を用いた
屋根構造。
【発明の詳細な説明】
【技術分野】
【０００１】
この発明は、たとえば馳締式の折板屋根などのような屋根の上に屋根板や設置物などの取り付け物を固定するのに好適な屋根上取り付け金具に関し、より詳しくは、小型でありながらも高い強度が得られるような屋根上取り付け金具に関する。
【背景技術】
【０００２】
折板屋根の上に折板を固定する屋根上取り付け金具として、下記特許文献１のように、小型化をはかったものがある。
【０００３】
この金具（吊子支持部材）は、折板屋根の山部における馳部と頂面に固定されるものであり、馳部を収容する断面逆凹字状の収容部と、この収容部の片側から水平に延びて頂面に接触する接面部を有する本体金具を備えている。本体金具の収容部における接面部と反対側の側面には、馳部に対する締め付けを行う締め付けボルトが保持され、接面部には、折板固定用の吊子を取り付けるための取り付けボルトが上に向けて固定されている。
【０００４】
締め付けボルトの先端は馳部の上部の巻き返し部より下の重ね合わせ部を押圧する。このため、馳部を挟み込むための構造を馳部よりも上に設ける必要がなく、固定時における金具の小型化を実現できる。
【０００５】
一方で、上からかかる荷重は、収容部を構成する金属板の端面と、接面部の下面に露出している取り付けボルトの頭部で支えることになり、上へ引っ張られる力に対しては、締め付けボルトの押圧力で維持しなければならない。また、金属板の端面やボルトの先端が折板に強く当たることによって、折板に傷がついてしまうことにもなる。
【０００６】
特許文献２には、折板屋根の上に太陽電池モジュールを固定する屋根上取り付け金具が開示されている。
【０００７】
この金具は、折板屋根の頂部又は凸部に跨った状態で取り付けられる本体金具（下面開口凹金物）と、本体金具の片側にボルトで連結される締め付け金具（上面開口凹金物）を有する。本体金具は折板の頂部又は凸部の一方側に圧着する圧着片を有しており、締め付け金具は頂部又は凸部の他方側に圧着する圧着片を有している。これら一対の圧着片がボルトの締め付けによって頂部又は凸部を圧着状態に挟み込むことによって、折板屋根に対する金具の固定がなされる。
【０００８】
この金具でも本体金具が折板の頂部又は凸部を覆って、頂部又は凸部の上端よりも低い位置で締め付けて固定するので、固定時の高さが低い小型化を実現できる。
【０００９】
特許文献２の金具と同様の金具は、特許文献３にも開示されている。特許文献２、３いずれの金具でも、折板屋根の馳部等を挟持する一対の挟持片を一対の部材にそれぞれ備え、それら一対の部材を折板屋根の馳部等の高さに位置するボルトを用いて締め付けて固定するので、固定時の高さを低く抑えられる。そのうえボルトで直接締め付けるのではないので折板に傷を付けにくいという利点がある。
【００１０】
特許文献２、３の金具と同様の構成で折板を固定する金具としては、下記特許文献４、５も開示されている。
【００１１】
しかし、特許文献２、３、４、５いずれの金具でも、挟持片を有する左右一対の部材は左右方向にのびる１本のボルトで連結されている構成であるので、このボルトに集中してせん断荷重がかかる。特許文献３の金具は一対の部材の上端部に互いにスライド可能に重なり合う天板材を有するものの、取り付けボルトを有する本体金具の天板材が上に位置しているので、荷重を支持する部位はボルト以外には天板材同士のスライド構造だけであり、スライド構造にはクリアランスがあるため、ボルトにかかる荷重を効果的に分散するものではない。
【先行技術文献】
【特許文献】
【００１２】
【特許文献１】特許第５０４３３７５号公報
【特許文献２】特許第３２９９８７７号公報
【特許文献３】特許第４２５２９７３号公報
【特許文献４】意匠登録第１４３５４４９号公報
【特許文献５】意匠登録第１４３５４５０号公報
【発明の概要】
【発明が解決しようとする課題】
【００１３】
そこでこの発明は、固定時の高さを低くする小型化が実現できる上に、一部に集中しやすい荷重を効果的に分散して強度を高められるようにすることを主な目的とする。
【課題を解決するための手段】
【００１４】
そのための手段は、屋根に有する突条部を左右一対の挟持部で挟持して屋根上に取り付けられ、上に取り付け物を支持する屋根上取り付け金具であって、前記突条部を左右に跨ぐ形状であり前記突条部の一方側に当たる一方の挟持部を下端に有した支持体と、該支持体の他方側に添えられ前記突条部の他方側に当たる他方の挟持部を下端に有した締め付け体を備え、前記支持体が、前記突条部の上方に位置する上面部と、該上面部の他方側の端から下がる垂下片を有し、前記上面部には、前記取り付け物固定のために先端を上に向ける固定ボルトが固定され、前記垂下片には、先端を左右方向の他方側に向ける締め付けボルトが固定され、前記締め付け体が、前記上面部の上に重なる重合片と、該重合片の他方側の端から下がる受圧片を有し、前記重合片には、前記固定ボルトの直径よりも幅広の切り欠きが一方側の端から形成され、前記受圧片には、前記締め付けボルトを挿通する貫通穴が形成され、前記締め付けボルトには、前記受圧片を前記垂下片側に移動させるナットが備えられる屋根上取り付け金具である。
【００１５】
この構成では、支持体と締め付け体を組み合わせて屋根の突条部を挟み、締め付けボルトにナットを螺合して締め付けると、支持体の一方の挟持部と締め付け体の他方の挟持部が突条部を左右に挟み付けて、屋根上取り付け金具の屋根に対する取り付けがなされる。この取り付けに際しては、締め付けボトルが重合片とともに締め付け体の左右方向の移動に際して案内の機能を果たすとともに、重合片の切り欠きが固定ボルトの進入を許容する。屋根に対する取り付けで、屋根上取り付け金具の支持体と締め付け体は、垂下片と受圧片が締め付けボルトを介して結合一体化される。
【００１６】
この結合に加えて、屋根上取り付け金具に対する取り付け物の固定によって、支持体の上面部と締め付け体の重合片が固定ボルトを介して結合一体化される。上面部と重合片は面接触して一体化し、正圧がかかったときはもちろん負圧が作用した場合でも、荷重を各部に分散して、締め付けボルトにかかる荷重を低減する。
【発明の効果】
【００１７】
以上のようにこの発明によれば、固定時の高さを低くする小型化を実現できる上に、一部に集中しやすい荷重を効果的に分散して強度を高められる。
【図面の簡単な説明】
【００１８】
【図１】屋根上取り付け金具の使用状態の要部の断面図。
【図２】屋根構造の正面図。
【図３】屋根上取り付け金具の斜視図。
【図４】屋根上取り付け金具の分解状態の斜視図。
【図５】屋根上取り付け金具の平面図。
【図６】挟持部を離間した状態の屋根上取り付け金具の斜視図。
【図７】図６の状態の一部断面正面図。
【図８】取り付け方法を示す正面図。
【図９】他の例に係る屋根上取り付け金具の斜視図。
【図１０】他の例に係る屋根上取り付け金具の斜視図。
【図１１】他の例に係る屋根上取り付け金具の斜視図。
【図１２】他の例に係る屋根上取り付け金具の斜視図。
【図１３】他の例に係る屋根上取り付け金具の平面図。
【発明を実施するための形態】
【００１９】
この発明を実施するための一形態を、以下図面を用いて説明する。  
この発明の屋根上取り付け金具（以下、「取り付け金具」という）は、上面に突条部を有した屋根に固定されるもので、突条部を左右一対の挟持部で挟持して屋根上に取り付けられ、上に取り付け物を支持する。取り付け金具は、改修の目的で取り付け物としての屋根板を固定したり、機能付与の目的で取り付け物としての太陽電池パネルや雪止め金具などの設置物を固定したりするのに使用される。この説明では、前者の改修目的に使用する取り付け金具を用いた屋根構造の例を説明する。
【００２０】
図１に、取り付け金具１１の使用状態の要部の断面図を示す。この取り付け金具１１は、図２に示したように、下葺屋根５１の上に取り付けられて上葺屋根５２を固定する。下葺屋根５１と上葺屋根５２は折板屋根６１であり、複数の折板６２を馳部６３で結合して形成される。図面では丸馳式の折板屋根６１を描いたが、角馳式など他の形態の折板屋根であってもよい。
【００２１】
屋根について付言すると、一例である前述の折板屋根６１は山部と谷部を繰り返す波形で、山部の頂面に、左右の平面部６４，６５と、これらに挟まれた突条部としての馳部６３を有する。平面部６４，６５は、図示例では若干傾斜させて描いたが、水平なものもある。屋根は馳式の折板屋根のほか、嵌合式の折板屋根や瓦棒屋根、立平屋根などでもよい。
【００２２】
図１に示したように取り付け金具１１は、支持体１２と締め付け体１３を有する。支持体１２は、折板屋根６１の平面部６４，６５のうち一方の平面部６４から他方の平面部６５へ馳部６３を跨ぐ形状であり、馳部６３の一方側に先端を当て平面部６４に載る一方の挟持部２１を下端に有している。締め付け体１３は、支持体１２の他方側に添えられ、馳部６３の他方側に先端を当て平面部６５に載る他方の挟持部３１を下端に有している。支持体１２と締め付け体１３は金属板をプレスして形成される。支持体１２と締め付け体１３はそれぞれ１枚の金属板から製造した例を示したが、複数の部材を組み合わせて構成してもよい。
【００２３】
支持体１２と締め付け体１３を組み合わせた状態の斜視図が図３であり、分解した状態の斜視図が図４である。
【００２４】
これらの図に示したように、支持体１２は、所定幅の金属板を折り曲げて形成され、その正面視の概略形状は逆凹字形である。支持体１２は、左右方向の一方側（図面上左側。以下同じ）に垂直片２２を有し、この垂直片２２の下端に内方、つまり他方側（図面上右側。以下同じ）に向けて前述の一方の挟持部２１を有する。挟持部２１の先端縁には上方に曲がる折曲縁２１ａが形成されている。垂直片２２の上端には、馳部６３の上方に位置する上面部２３を有し、この上面部２３の他方側の端には垂下片２４が形成されている。
【００２５】
上面部２３は、左右方向の中間部に、他方側を一方側よりも低くする段差部２３ａと、この段差部２３ａで高さが低くなる下位面２３ｂと、下位面２３ｂよりも高さが高い上位面２３ｃを有している。下位面２３ｂの高さは、取り付け対象である下葺屋根５１の馳部６３を収められる高さのうち極力低く設定され、上位面２３ｃの高さも極力低く設定される。段差部２３ａは、少なくとも締め付け体１３を構成する板材の厚さより高く設定される。図示例で段差部２３ａは垂直に形成したが、斜めに形成してもよい。
【００２６】
下位面２３ｂは、上葺屋根５２を固定するための吊子１４（図１、図２参照）を固定する部位であり、中央部には先端を上に向ける固定ボルト２５が固定されている。固定ボルト２５は頭部２５ａを有するもので、下位面２３ｂの下から挿入され、頭部２５ａ側の根元部をかしめて固定される。固定ボルト２５の先端の高さは、上位面２３ｃの高さ以下に設定されている。
【００２７】
段差部２３ａの幅方向の両端には、左右方向に貫通する挿通部２６が形成されている。挿通部２６は、段差部２３ａの下端部分における幅方向の端から切り込んで形成され、挿通部２６の高さは、締め付け体１３を構成する板材の厚さに嵌合対応する高さである。つまり挿通部２６の下端位置は下位面２３ａの上面高さと同じ高さであり、挿通部２６には下位面２３ｂの上に重なる締め付け体１３の一部が真っ直ぐに突き刺さることになる。挿通部２６の幅は適宜設定される。
【００２８】
段差部２３ａから上位面２３ｃ、垂直片２２、一方の挟持部２１にかけては、幅方向の中央部に補強のためのリブ２７が、内側に凸に形成されている。下位面２３ｂから垂下片２４には、固定ボルト２５を避けた幅方向両側位置に補強用のリブ２８が内側に凸に形成されている。
【００２９】
垂下片２４の中央部には、先端を左右方向の外方、つまり他方側に向ける締め付けボルト２９が固定されている。締め付けボルト２９は、平面視において固定ボルト２５と同一直線状に位置する。この締め付けボルト２９も垂下片２４の内側から通して、頭部２９ａ側の根元部をかしめて固定される。締め付けボルト２９の長さは、上葺屋根５２の固定が可能な範囲で長めであるとともに、締め付け体１３の挟持部３１の先を支持体１２の垂下片２４の内側に近接させたときに、締め付けボルト２９の先端が締め付け体１３に接触しない長さに設定されている。
【００３０】
締め付け体１３は、支持体１２と同じ幅の金属板を折り曲げて形成され、正面視略コ字形である。締め付け体１３は、支持体１２の上面部２３のうち下位面２３ｂの上に重なる重合片３２と、この重合片３２の他方側の端から下がる受圧片３３と、受圧片３３の下端から内方、つまり一方側に向けてのびる他方の挟持部３１を有する。挟持部３１の先端縁には上方に曲がる折曲縁３１ａが形成されている。
【００３１】
重合片３２の本体部分は、下位面３２ｂに略対応する大きさに形成され、一方側の端を支持体１２の段差部２３ａに近接させたときに受圧片３３が支持体１２の垂下片２４に接触又は近接する大きさである。この重合片３２には、固定ボルト２５の直径よりも幅広の切り欠き３４が一方側の端から切り込んで形成されている。つまり切り欠き３４は、一端が開放された長穴形状である。切り欠き３４の幅は、固定ボルト２５の直径に嵌合対応する幅、換言すれば直径よりも若干幅広に設定される。このため、図５に示したように、固定ボルト２５にナット１５を螺合して締め付けたときに、ナット１５、詳しくは図示例のようにナット１５の下に一体に備えたワッシャや、図示しない別体に備えたワッシャで締め付けられる被締め付け部３５が、切り欠き３４の周囲に形成されることになる。
【００３２】
また重合片３２における切り欠き３４を挟む幅方向の両側における一方側の端には、支持体１２の挿通部に差し込まれる差し込み部３６が一対形成されている。差し込み部３６と重合片３２の上面高さは同じ、つまり面一である。差し込み部３６は挿通部２６の幅に嵌合対応する幅の板状であり、適宜の剛性を有する細幅に設定されている。
【００３３】
差し込み部３６の長さは、図６、図７に示したように、締め付け体１３の挟持部３１の先を支持体１２の垂下片２４の内側に近接させたときに、先端を挿通部２６に近接させる長さである。具体的には、挟持部３１の先端の折曲縁３１ａを垂下片２４の下端の内側に引っ掛けたときに、先端が挿通部２６の入り口の手前側に位置する長さである。
【００３４】
受圧片３３の中央部であって、重合片３２を支持体１２の下位面３２ｂに重ねたときに締め付けボルト２９に対応する位置には、締め付けボルト２９を挿通する貫通穴３７が形成されている。貫通穴３７は締め付けボルト２９の直径と嵌合対応する大きさである。
【００３５】
締め付けボルト２９にはナット１６が備えられる。ナット１６は、図３に示したように、締め付け体１３を組み合わせた状態の締め付けボルト２９に螺合され、螺合により受圧片３３の貫通穴３７の周囲を支持体１２の垂下片２４側に押圧して締め付け体１３を移動させるものである。
【００３６】
以上のような各部材で構成された取り付け金具１１は、支持体１２に締め付け体１３を組み付けて使用に供される。
【００３７】
組み付けは、締め付け体１３の挟持部３１の折曲縁３１ａを支持体１２の垂下片２４の下端の内側に引っ掛けて回転させ、重合片３２を下位面２３ｂの上に重ねると、簡単である。これは、差し込み部３６の長さを、締め付け体１３の挟持部３１の先を支持体１２の垂下片２４の内側に近接させたときに先端を挿通部２６に近接させる長さとし、締め付けボルト２９の長さを、締め付け体１３の挟持部３１の先を支持体１２の垂下片２４の内側に近接させたときに先端を締め付け体１３に接触させない長さとし、重合片３２の切り欠き３４を形成したからである。
【００３８】
下位面２３ｂとこれの上に重なった重合片３２は両者の位置関係を規制する。このため、締め付け体１３を支持体１２側に向けて移動させるときの案内の機能を果たす。支持体１２と締め付け体１３を近接方向に相対移動すると、差し込み部３６が段差部２３ａの挿通部２６に進入するとともに、固定ボルト２５が切り欠き３４に進入し、締め付けボルト２９が受圧片３３の貫通穴３７に進入する。これらも案内の機能を果たす。したがって、両者を接近させる相対移動は真っ直ぐに円滑に行え、所望の組み付けが行いやすい。
【００３９】
特に、差し込み部３６を有し、差し込み部３６の長さを前述のように最大限に設定しているので、差し込み部３６を有しない場合と比べて、案内が行われる長さを長くすることができ、操作性は良好である。しかも、差し込み部３６は重合片の幅方向の両側に一対形成されているので、安定性は良好で、不測に傾いたりすることも回避できる。このため、締め付けボルト２９の貫通穴３７に対する挿通も、特に意識せずとも自然に行える。
【００４０】
前述の各部が案内となって所望の組み付けを行ったあとは、締め付けボルト２９にナット１６を螺合すると、組み付け状態が維持される。
【００４１】
このように組み立てられた取り付け金具１１は、現場において次のように使用される。
【００４２】
図８に示したように、下葺屋根５１に対して取り付けるため、締め付け体１３を支持体１２から離れる方向に移動させ、一対の挟持部２１，３１間の間隔をひらく。このとき必要であればナット１６を締め付けボルト２９から外してもよい。
【００４３】
つぎに、挟持部２１，３１間を広げた取り付け金具１１を下葺屋根５１の馳部６３に対して上からかぶせ、一対の挟持部２１，３１をそれぞれ水平部６４，６５に載せ、支持体１２と締め付け体１３を相対移動して接近させる。この相対移動は、差し込み部３６と挿通部２６、固定ボルト２５と切り欠き３４、締め付けボルト２９と貫通穴３７、それに下位面２３ａと重合片３２が案内の機能を果たすので左右方向に真っ直ぐ、しかも円滑に行える。
【００４４】
一対の挟持部２１，３１の間隔を狭めて、馳部６３の下側部分を挟んだ状態にしてから、馳部６３の横に位置する締め付けボルト２９に対するナット１６による締め付けを行う。ナット１６の螺合によって上述の相対移動をしてもよい。前述のように複数の部位が案内の機能を果たすので、ナット１６の回転と相対移動は円滑に行える。
【００４５】
ナット１６を締めると取り付け金具１１が下葺屋根５１の馳部６３に固定される。このとき、支持体１２の垂下片２４と締め付け体１３の受圧片３３は互いに近づき、または面接触して締め付けボルト２９によって結合一体化された状態になる。
【００４６】
このあと、取り付け金具１１の上に吊子１４を固定する。すなわち、支持体１２の下位面２３ｂから締め付け体１３の重合片３２の切り欠き３４を通って上にのびる固定ボルト２５に、図１に示したように吊子１４の貫通穴１４ａを挿嵌して、固定ボルト２５に螺合するナット１５で吊子１４の貫通穴１４ａの周囲を締め付ける。この締め付けによって、吊子１４の下面が締め付け体１３の重合片３２の被締め付け部３５を支持体１２の下位面２３ｂに対して押しつけて、重合片３２を挟み込んだ状態での接合一体化がなされる。
【００４７】
これにより固定ボルト２５を有する部分では支持体１２と締め付け体１３が密に接触し合い、接触面積が増えて高い一体性を得るので、かかる荷重を他の部位に分散し、締め付けボルト２９部分のみに高い負荷がかかることを抑制する。
【００４８】
つまり、上からの荷重がかかった場合には、固定ボルト１５と重合片３２と下位面２３ｂにかかる荷重や上位面２３ｃにかかる荷重は即座に他の部位に伝えられ、主に垂直片２２と垂下片２４と受圧片３３が支える。上へ引っ張られる荷重が作用した場合には、固定ボルト１５から下位面２３ｂと重合片３２にかかる荷重は即座に垂直片２２や垂下片２４と受圧片３３に伝えられる。そして、いずれの場合も一対の挟持部２１，３１は、方向性が異なる固定ボルト１５部分と締め付けボルト２９部分の一体性により強固な固定を維持する。つまり荷重分散と強固な固定が効果的になされる。
【００４９】
以上のように、取り付け金具１１を用いた屋根構造では、締め付けボルト２９が馳部６３の横に位置するものであり、これによって下葺屋根５１に対する取り付けを行うので、取り付け金具１１の固定時の高さを低くすることができる。
【００５０】
しかも、別部材である支持体１２と締め付け体１３は、使用時には結合のための軸（固定ボルト２５、締め付けボルト２９）の方向性が異なる２箇所で結合一体化なされ、主に荷重がかかる固定ボルト２５部分で接触面積を多くとれるので、かかる荷重を効果的に分散して、正圧に対しても負圧に対しても、強度を高めることができる。固定ボルト２５部分の結合一体化では重合片３２の切り欠き３４の周囲に被締め付け部３５を有するので、積極的な挟み付けがなされ、この点でも強固な固定が行える。
【００５１】
また、締め付けボルト２９は支持体１２に固定され、螺合はナット１６で行うので、金属板にバーリングを行って雌ねじを形成したもので螺合するのに比べてかかり合うねじ山の数を多くできるので、より強力な締結ができる点でも、強度を高めることができる。
【００５２】
以下、他の例を説明する。この説明において前述の構成と同一の部位については同一の符号を付してその詳しい説明を省略する。
【００５３】
図９は、他の例に係る組み付け状態の取り付け金具１１の斜視図である。この図に示すように締め付け体１３の重合片３２と差し込み部３６の両外側に、リブ３８を形成してもよい。リブ３８は縁を下方に折り曲げて形成される。このリブ３８は強度を向上するとともに、案内の機能を有する。リブ３８は、図１０に示したように受圧片３３にも連続して形成することもできる。
【００５４】
リブ３８は、縁に折り曲げて形成するほか、図１１に示したように、打ち出しにより膨出形成してもよい。この場合のリブ３８は、受圧片３３の幅方向の両側で上下方向にのびる線状に形成するとよい。
【００５５】
図１２は、他の例に係る組み付け状態の取り付け金具１１の斜視図であり、この図に示すように締め付け体１３の差し込み部３６（図３参照）を省略してもよい。これに伴い、支持体１２の段差部２３ａの挿通部２６（図３参照）も省略する。
【００５６】
図１３は、他の例に係る組み付け状態の取り付け金具１１の平面図であり、この図に示すように重合片３２の切り欠き３４を固定ボルト２５の直径に比して大きく形成してもよい。切り欠き３４の大きさは固定ボルト２５に螺合するナット１５で締め付けられる被締め付け部３５（図５参照）を有しない大きさ、つまり、ナット１５の圧着面よりも幅広に形成される。このように構成しても、吊子１４の下面が重合片３２を挟み付けるので、強固な結合一体化がなされる。
【００５７】
この発明は前述の構成のみに限定されるものではなく、その他の構成を採用することもできる。
【００５８】
たとえば、取り付け物を固定するための固定ボルト２５は、剣先ボルトなどの他のボルトであってもよく、屋根上取り付け金具１１で固定する物（取り付け物）に応じて適宜設定される。
【００５９】
差し込み部３６は、重合片３２と面一ではなく、段差を介してそれよりも高く形成し、これに伴って、挿通部２６の高さを段差部２３ａの高さの中間部などに設定することもできる。
【符号の説明】
【００６０】
１１…屋根上取り付け金具
１２…支持体
１３…締め付け体
１４…吊子
１５，１６…ナット
２１…一方の挟持部
２３…上面部
２３ａ…段差部
２３ｂ…下位面
２４…垂下片
２５…固定ボルト
２６…挿通部
２９…締め付けボルト
３１…他方の挟持部
３２…重合片
３３…受圧片
３４…切り欠き
３５…被締め付け部
３６…差し込み部
３７…貫通穴
５１…下葺屋根
６１…折板屋根
６３…馳部
【図１】
0006719957.tif 000002
【図２】
0006719957.tif 000003
【図３】
0006719957.tif 000004
【図４】
0006719957.tif 000005
【図５】
0006719957.tif 000006
【図６】
0006719957.tif 000007
【図７】
0006719957.tif 000008
【図８】
0006719957.tif 000009
【図９】
0006719957.tif 000010
【図１０】
0006719957.tif 000011
【図１１】
0006719957.tif 000012
【図１２】
0006719957.tif 000013
【図１３】
0006719957.tif 000014